(57)【要約】【課題】２つの蒸発器を備えた冷凍システムを有する冷蔵庫で、各食品保管室の温度偏差を減少させ、冷凍サイクルの切り換え時に、蒸発器に残留している冷媒を回収して冷媒不足現象を防止して冷却性能を向上させること。【解決手段】本発明は、各室の温度を測定する段階と、測定された各室の温度を比較する段階と、各室の温度比較結果に基づき各室の蒸発器に流入する冷媒量を調節する段階とからなり、Ｆ−サイクルとＲ−サイクルの何れか一方のサイクルが完了した後、所定時間（Δｔ）の間、バルブ装置を閉鎖した状態で圧縮機を運転する段階とからなり、Ｆ−サイクルとＲ−サイクルの何れか一方のサイクルが行われる時、停止された他の１つの冷凍サイクルに属する蒸発器のファンを断続的に運転する段階とからなる。【選択図】　　　図２
2004037065.tif 000002
【特許請求の範囲】
【請求項１】
（ｃ）各室の温度を測定する段階と、
（ｄ）測定された前記各室の温度を比較する段階と、
（ｅ）前記各室の温度比較結果に基づき前記各室の蒸発器に流入する冷媒量を調節する段階とを含む２つの蒸発器を備えた冷凍システムの運転制御方法。
【請求項２】
前記段階（ｃ）は前記各室に取り付けられている温度センサーによって行われる請求項１に記載の２つの蒸発器を備えた冷凍システムの運転制御方法。
【請求項３】
段階（ｃ）の前に行われ、（ａ）前記各室毎に複数の基準温度を設定する段階を更に含む請求項１に記載の２つの蒸発器を備えた冷凍システムの運転制御方法。
【請求項４】
前記基準温度は上限温度と下限温度を含む請求項３に記載の２つの蒸発器を備えた冷凍システムの運転制御方法。
【請求項５】
前記段階（ｅ）において、前記各室の蒸発器に流れ込む冷媒量の調節が、前記各室の蒸発器に連結される冷媒管の分岐点に取り付けられているバルブ装置の開放比率の調節を介してなされる請求項４に記載の２つの蒸発器を備えた冷凍システムの運転制御方法。
【請求項６】
前記各室の温度が全て前記上限温度以上の場合、前記バルブ装置の開放比率が５０％：５０％である請求項５に記載の２つの蒸発器を備えた冷凍システムの運転制御方法。
【請求項７】
前記各室の温度が下限温度以上の温度領域で同一である場合、前記バルブ装置の開放比率が５０％：５０％である請求項５に記載の２つの蒸発器を備えた冷凍システムの運転制御方法。
【請求項８】
下限温度以上の温度領域で前記各室の何れか１室の温度が他の室より高い場合、前記バルブ装置は相対的に高い温度を有する室の蒸発器側が更に多く開放されるように制御される請求項５に記載の２つの蒸発器を備えた冷凍システムの運転制御方法。
【請求項９】
何れか１室の温度だけが下限値の温度未満の場合、前記バルブ装置が高い温度を有する室の蒸発器側に冷媒の全量を流入させるように制御する請求項５に記載の２つの蒸発器を備えた冷凍システムの運転制御方法。
【請求項１０】
前記各室の温度が下限値の温度未満の場合、圧縮機の運転が停止される請求項５に記載の２つの蒸発器を備えた冷凍システムの運転制御方法。
【請求項１１】
前記段階（ｃ）前に行われ、（ｂ）前記各室毎に複数の温度領域を設定する段階を更に含む請求項１に記載の２つの蒸発器を備えた冷凍システムの運転制御方法。
【請求項１２】
前記温度領域が、上限温度以上の温度領域（Ａｎ温度領域）、上限温度未満で設定値温度以上の温度領域（Ｂｎ温度領域）、設定値温度未満で下限温度以上の温度領域（Ｃｎ温度領域）、下限温度未満の温度領域（Ｄｎ温度領域）を含む請求項１１に記載の２つの蒸発器を備えた冷凍システムの運転制御方法。
【請求項１３】
前記段階（ｄ）が測定された前記各室の温度を前記温度領域と比較する方法で行われる請求項１２に記載の２つの蒸発器を備えた冷凍システムの運転制御方法。
【請求項１４】
前記段階（ｅ）で前記各室の蒸発器に流入する冷媒量の調節が前記各室の蒸発器に連結される冷媒管の分岐点に取り付けられているバルブ装置の開放比率調節からなる請求項１３に記載の２つの蒸発器を備えた冷凍システムの運転制御方法。
【請求項１５】
前記各室の温度領域が互いに同一である場合、前記バルブ装置が同一比率で開放される請求項１４に記載の２つの蒸発器を備えた冷凍システムの運転制御方法。
【請求項１６】
前記バルブ装置の開放比率が５０％：５０％である請求項１５に記載の２つの蒸発器を備えた冷凍システムの運転制御方法。
【請求項１７】
前記各室の温度領域が全てＤｎ温度領域に属する場合、圧縮機の運転が停止される請求項１５に記載の２つの蒸発器を備えた冷凍システムの運転制御方法。
【請求項１８】
前記各室の何れか１室の温度領域だけがＤｎ温度領域に属する場合、前記バルブ装置の開放比率が０％：１００％（Ｄｎ温度領域に属する室側：他の温度領域に属する室側）である請求項１４に記載の２つの蒸発器を備えた冷凍システムの運転制御方法。
【請求項１９】
前記各室の何れか１室の温度領域がＡｎ温度領域に属し、他の１室がＣｎ温度領域に属する場合、前記バルブ装置の開放比率が１００％：０％（Ａｎ温度領域に属する室側：Ｃｎ温度領域に属する室側）である請求項１４に記載の２つの蒸発器を備えた冷凍システムの運転制御方法。
【請求項２０】
前記各室の何れか１室の温度領域がＢｎ温度領域に属し、他の１室がＡｎ温度領域またはＣｎ温度領域に属する場合、前記バルブ装置が相対的に高い温度の温度領域に属する室側が更に多く開放されるように制御される請求項１４に記載の２つの蒸発器を備えた冷凍システムの運転制御方法。
【請求項２１】
前記バルブ装置の開放比率が８０％：２０％（高い温度の温度領域に属する室側：低い温度の温度領域に属する室側）である請求項１０に記載の２つの蒸発器を備えた冷凍システムの運転制御方法。
【請求項２２】
（ｆ）凝縮器を経た冷媒がＦ−膨張装置とＦ−蒸発器とを順次的に流動するＦ−サイクルから、バルブ装置の制御によってＲ−膨張装置とＲ−蒸発器とを順次に流動するＲ−サイクルに転換されるとき、所定時間（Δｔ）の間、前記バルブ装置を閉鎖した状態で前記圧縮機を運転する段階を含んでいる２つの蒸発器を備えた冷凍システムの運転制御方法。
【請求項２３】
前記段階（ｆ）を行う時、Ｆ−ファンを共に回転させる段階を含む請求項２２に記載の２つの蒸発器を備えた冷凍システムの運転制御方法。
【請求項２４】
前記段階（ｆ）を行う時、凝縮器ファンを共に回転させる段階を含む請求項２２に記載の２つの蒸発器を備えた冷凍システムの運転制御方法。
【請求項２５】
（ｇ）凝縮器を経た冷媒がＦ−膨張装置とＦ−蒸発器とを順次に流動するＦ−サイクルと、Ｒ−膨張装置とＲ−蒸発器とを順次に流動するＲ−サイクルとの何れか一方のサイクルが完了した時、所定時間（Δｔ）の間、前記バルブ装置を閉鎖した状態で前記圧縮機を運転する段階を含んでいる２つの蒸発器を備えた冷凍システムの運転制御方法。
【請求項２６】
前記段階（ｇ）を行う時、当該ファンを回転させる段階を含む請求項２５に記載の２つの蒸発器を備えた冷凍システムの運転制御方法。
【請求項２７】
前記段階（ｇ）を行う時、凝縮器ファンを共に回転させる段階を含む請求項２５に記載の２つの蒸発器を備えた冷凍システムの運転制御方法。
【請求項２８】
前記圧縮機の運転が停止した後にもＦ−ファンとＲ−ファンを各々断続的に運転する段階を含む請求項２５に記載の２つの蒸発器を備えた冷凍システムの運転制御方法。
【請求項２９】
前記Ｆ−サイクルと前記Ｒ−サイクルの何れか一方の冷凍サイクルが行われる時、停止した他の１つの冷凍サイクルに属する蒸発器のファンを断続的に運転する段階を含む請求項２８に記載の２つの蒸発器を備えた冷凍システムの運転制御方法。
【請求項３０】
前記Ｆ−サイクルと前記Ｒ−サイクルの何れか一方の冷凍サイクルが完了した時、当該冷凍サイクルに属する蒸発器のファンを所定時間の間延長運転する段階を含む請求項２８に記載の２つの蒸発器を備えた冷凍システムの運転制御方法。
【請求項３１】
前記Ｆ−サイクルと前記Ｒ−サイクルの何れか一方の冷凍サイクルが完了した時、当該冷凍サイクルに属する蒸発器のファンを所定時間の間、延長運転した後断続的に運転する段階を含む請求項２８に記載の２つの蒸発器を備えた冷凍システムの運転制御方法。
【請求項３２】
前記Ｆ−ファン及びＲ−ファンが運転し停止される断続時間比は４：６である請求項２８に記載の２つの蒸発器を備えた冷凍システムの運転制御方法。
【請求項３３】
前記Ｆ−ファン及びＲ−ファンが運転し停止される断続時間比は４：６である請求項２９に記載の２つの蒸発器を備えた冷凍システムの運転制御方法。
【請求項３４】
前記Ｆ−ファン及びＲ−ファンが運転し停止される断続時間比は４：６である請求項３１に記載の２つの蒸発器を備えた冷凍システムの運転制御方法。
【請求項３５】
Ｆ−サイクルまたはＲ−サイクルを選択的に行う冷凍システムの圧縮機の運転が停止した後にもＦ−ファンとＲ−ファンを各々断続的に運転する段階を含む２つの蒸発器を備えた冷凍システムの運転制御方法。
【請求項３６】
前記Ｆ−サイクルとＲ−サイクルの何れか一方の冷凍サイクルが行われると時、停止された他の１つの冷凍サイクルに属する蒸発器のファンを断続的に運転する段階を含む請求項３５に記載の２つの蒸発器を備えた冷凍システムの運転制御方法。
【請求項３７】
前記Ｆ−サイクルと前記Ｒ−サイクルの何れか一方の冷凍サイクルが完了した後、当該冷凍サイクルに属する蒸発器のファンを所定時間の間、延長運転する段階を含む請求項３５に記載の２つの蒸発器を備えた冷凍システムの運転制御方法。
【請求項３８】
前記Ｆ−サイクルと前記Ｒ−サイクルの何れか一方の冷凍サイクルが完了した後、当該冷凍サイクルに属する蒸発器のファンを所定時間の間、延長運転した後、断続的に運転する段階を含む請求項３５に記載の２つの蒸発器を備えた冷凍システムの運転制御方法。
【請求項３９】
前記Ｆ−ファン及びＲ−ファンが運転し停止される断続時間比が４：６である請求項３５に記載の２つの蒸発器を備えた冷凍システムの運転制御方法。
【請求項４０】
前記Ｆ−ファン及びＲ−ファンが運転し停止される断続時間比が４：６である請求項３６に記載の２つの蒸発器を備えた冷凍システムの運転制御方法。
【請求項４１】
前記Ｆ−ファン及びＲ−ファンが運転し停止される断続時間比が４：６である請求項３８に記載の２つの蒸発器を備えた冷凍システムの運転制御方法。
【発明の詳細な説明】
【０００１】
【発明の属する技術分野】
本発明は、冷凍システムの運転を制御する方法に関し、特に、２つの蒸発器を備えた冷凍システムの運転制御方法に関するものである。
【０００２】
【従来の技術】
一般に、冷蔵庫は食品を新鮮に長期間保管する用途に用いられる機器であって、その構成は大きく複数の食品保管室を有する本体と、前記食品保管室を冷却するための冷凍サイクルから分けられる。
【０００３】
冷凍サイクルを構成する主要構成要素としては、圧縮機、凝縮器、蒸発器、膨張バルブがある。一般的に、圧縮機と凝縮器は本体の後方下部に設けられた機械室内に取り付けられ、蒸発器と膨張バルブは食品保管室の近傍に取り付けられ、次のような段階を介して本体の食品保管室を冷却する。
【０００４】
先ず、気相の冷媒が圧縮機で圧縮されて凝縮器に圧送された後、凝縮器で熱交換して液化される。凝縮された液相の冷媒は膨張バルブで蒸発器に噴射されながら急膨張して気化する。この時、蒸発器の周囲から熱を吸収してその冷気によって食品保管室を冷却する。気化した冷媒は再び圧縮機に戻って圧縮、液化された後、前記凝縮、膨張、気化、圧縮段階を繰り返しながら食品保管室を常に低温状態に冷却する。
【０００５】
尚、冷蔵庫の冷凍システムは、１つの蒸発器で複数の食品保管室に冷気を供給するように構成されることもあるが、最近は各食品保管室の特性を生かし、冷却性能を向上させるために複数の蒸発器を食品保管室の各々に取り付けて制御するように構成されることもある。
【０００６】
このように、複数の蒸発器を備えた冷凍システム（以下説明の便宜のため２つの蒸発器を備えた冷凍システムと称する）は、圧縮機と凝縮器を経由した冷媒が流通する冷媒配管が、２つの蒸発器（Ｆ−蒸発器とＲ−蒸発器）に各々連結され得るように分岐され、その分岐点に両分岐管の流路を開閉できるバルブ装置が取り付けられている。従って、前記バルブ装置を切り換えることにより、冷媒をＦ−蒸発器とＲ−蒸発器の何れか一方に流入するようにすることで、２つの食品保管室の何れか一つを選択して冷却することができる。
【０００７】
このような２つの蒸発器が備えられている冷凍システムは、一般的に全ての食品保管室の温度が、制御部に予め設定されている条件を満たすと、圧縮機の動作を中止、全ての食品保管室の何れか１つの温度が、制御部に設定されている温度範囲以上に上昇したときに、圧縮機を更に動作させる方法で運転されている。このような運転を繰り返しながら、各貯蔵室の温度を制御部に予め設定されている温度範囲内に維持する。
【０００８】
然しながら、前記冷凍システムを有する冷蔵庫では、２つの蒸発器の何れか一方の蒸発器にだけ冷媒を供給する方式で各室の温度を制御するので各室の温度偏差が大きくなる。即ち、何れか一方の蒸発器に冷媒が供給されるときには他の蒸発器には冷媒が供給されず、また冷気を供給するファンも停止するので、当室内の冷気循環が中止されることによって蒸発器の稼動時と停止時の食品冷凍室内の温度偏差が大きくなるという問題がある。
【０００９】
また、既述した２つの蒸発器を備えた冷凍システムでは、２つの蒸発器の何れか一方の蒸発器に冷媒を供給するサイクルを行った後、バルブ装置を切り換えて更に他の１つの蒸発器に冷媒を供給する他のサイクルを行う場合、冷媒の供給を底止した蒸発器内に既に流入している冷媒が残留するという問題がある。
【００１０】
即ち、Ｆ−蒸発器に冷媒を供給しながらＦ−サイクルをおこなった後、バルブ装置を切り換えてＲ−蒸発器に供給しながらＲ−サイクルをおこなった場合、Ｆ−蒸発器に既に流入している冷媒は、Ｒ−サイクルが行われる間、流動せず殆ど液相でＦ−蒸発器に残留する。
【００１１】
このような現象は、Ｒ−サイクルの中止及び圧縮機の動作中止時にも同様に発生するので、蒸発器に残留する冷媒を回収するための別の装置や方法を適用しない場合には、２つの蒸発器の何れか一方の蒸発器には常に冷媒が残留する。
【００１２】
従って、１つのサイクルが完了した後、蒸発器に残留する冷媒を圧縮機及び凝縮器に全量回収できないので、更に他の１つのサイクルを行う時、冷媒不足の現象が発生し、このような現象によって冷却性能が相対的に低下するという問題がある。
【００１３】
また、圧縮機を更に動作させるとき、蒸発器に残留する液相の冷媒が圧縮機に流入することとなり、圧縮機のシリンダー内での潤滑の問題が発生し、圧縮機の信頼性が確保できないという問題がある。
【００１４】
【発明が解決しようとする課題】
本発明は、こうした従来技術の問題点を解決することを技術課題としており、２つの蒸発器を備えた冷凍システムを有する冷蔵庫で、各食品保管室の温度偏差を減少させることが目的である。
【００１５】
本発明の他の目的は、２つの蒸発器を備えた冷凍システムにおいて冷凍サイクルの切り換え時に蒸発器に残留する冷媒を回収して、冷媒不足を防止し、更に圧縮機の信頼性を確保することである。
本発明の更に異なる目的は、２つの蒸発器を備えた冷凍システムの冷却性能を向上させることである。
【００１６】
【課題を解決するための手段】
上記目的を達成するために、本発明による方法は（ｃ）各室の温度を測定する段階と、（ｄ）測定された各室の温度を比較する段階と、（ｅ）各室の温度比較結果に基づき各室の蒸発器に流入する冷媒量を調節する段階含む。
ここで、段階（ｃ）は各室に取り付けられている温度センサーによって行われ、前記基準温度は、上限温度と下限温度を含むことが好ましい。
【００１７】
段階（ｅ）における各室の蒸発器に流れ込む冷媒量の調節は、前記各室の蒸発器に連結される冷媒管の分岐点に取り付けられているバルブ装置の開放比率の調節を介してなされ、各室の温度が全て前記上限温度以上の場合、前記バルブ装置の開放比率は５０％：５０％で、各室の温度が下限温度以上の温度領域で同一である場合、前記バルブ装置の開放比率は５０％：５０％で、下限温度以上の温度領域で各室の何れか１室の温度が他の室より高い場合、前記バルブ装置は相対的に高い温度を有する室の蒸発器側が更に多く開放されるように制御され、また、何れか１室の温度だけが下限値の温度未満の場合、前記バルブ装置は高い温度を有する室の蒸発器側に冷媒の全量が流入するように制御され、各室の温度が下限温度未満の場合、圧縮機の運転が停止することが好ましい。
【００１８】
また、前記本発明の他の特徴によれば、（ｂ）各室毎に複数の温度領域を設定する段階と、（ｃ）各室の温度を測定する段階と、（ｄ）測定された各室の温度を比較する段階と、また、（ｅ）各室の温度比較結果に基づき各室の蒸発器に流入する冷媒量を調節する段階とを含む方法が提供される。
【００１９】
ここで、段階（ｃ）は、各室に各々取り付けられている温度センサーによって行われ、前記温度領域は、上限温度以上の温度領域（Ａｎ温度領域）、上限温度未満で設定値温度以上の温度領域（Ｂｎ温度領域）、設定値温度未満で下限温度以上の温度領域（Ｃｎ温度領域）、下限温度未満の温度領域（Ｄｎ温度領域）を含んでおり、前記測定された各室の温度を比較する段階（ｄ）は測定された各室の温度を前記温度領域と比較する方法で行われることが好ましい。
【００２０】
また、段階（ｅ）における各室の蒸発器に流入する冷媒量の調節は、前記各室の蒸発器に連結される冷媒管の分岐点に取り付けられているバルブ装置の開放比率調節を介してなされるが、各室の温度領域が互いに同一の場合、前記バルブ装置は同一比率で開放され、この時、前記バルブ装置の開放比率は５０％：５０％で、また各室の温度が全てＤｎ温度領域に属する場合、圧縮機の運転が停止され、各室の何れか１室の温度領域だけがＤｎ温度領域に属する場合、前記バルブ装置の開放比率は、０％：１００％（Ｄｎ温度領域に属する室側：他の温度領域に属する室側）であり、各室の何れか１室の温度領域がＡｎ温度領域に属し、他の１室がＣｎ温度領域に属する場合、前記バルブ装置の開放比率は１００％：０％（Ａｎ温度領域に属する室側：Ｃｎ温度領域に属する室側）であり、各室の何れか１室の温度領域がＢｎ温度領域に属し、他の１室がＡｎ温度領域またはＣｎ温度領域に属する場合、前記バルブ装置は相対的に高い温度の温度領域に属する室側が更に多く開放されるように制御されることが望ましく、この時、前記バルブ装置の開放比率は８０％：２０％（高い温度の温度領域に属する室側：低い温度の温度領域に属する室側）であることが好ましい。
【００２１】
前記目的を達成するための本発明の更に他の特徴によれば、（ｆ）凝縮器を経た冷媒が、Ｆ−膨張装置とＦ−蒸発器とを順次的に流動するＦ−サイクルから、バルブ装置の制御によって、Ｒ−膨張装置とＲ−蒸発器とを順次に流動するＲ−サイクルに転換されるとき、所定時間（Δｔ）の間、前記バルブ装置を閉鎖した状態で前記圧縮機を運転する段階を含む方法が提供される。
【００２２】
段階（ｆ）を行う時、Ｆ−ファンを共に回転させる段階を含むことが望ましく、段階（ｆ）を行う時、凝縮器ファンを共に回転させる段階を含むことが好ましい。
【００２３】
更に、本発明の他の特徴によれば、（ｇ）凝縮器を経た冷媒がＦ−膨張装置とＦ−蒸発器とを順次に流動するＦ−サイクルと、Ｒ−膨張装置とＲ−蒸発器とを順次に流動するＲ−サイクルとの何れか一方のサイクルが完了した時、所定時間（Δｔ）の間、前記バルブ装置を閉鎖した状態で前記圧縮機を運転する段階を含んだ方法が提供される。
【００２４】
ここで、段階（ｇ）を行う時、当該ファンを回転させる段階を含むことが望ましく、また、段階（ｇ）を行う時、凝縮器ファンを共に回転させる段階を含むことが好ましい。
【００２５】
本発明の更に他の特徴によれば、凝縮器を経た冷媒がＦ−膨張装置とＦ−蒸発器とを順次的に流動するＦ−サイクルと、Ｒ−膨張装置とＲ−蒸発器とを順次に流動するＲ−サイクルとの何れか一方のサイクルが完了した時、所定時間（Δｔ）の間、前記バルブ装置を閉鎖した状態で前記圧縮機を運転する段階と、また、前記圧縮機の運転が停止した後にも、Ｆ−ファンとＲ−ファンを各々断続的に運転する段階を含む方法が提供される。
【００２６】
ここで、前記Ｆ−サイクルと前記Ｒ−サイクルの何れか一方の冷凍サイクルが完了した時、当該冷凍サイクルに属する蒸発器のファンを断続的に運転する段階を包含したり、前記Ｆ−サイクルとＲ−サイクルの何れか一方の冷凍サイクルが行われる時、当該冷凍サイクルに属する蒸発器のファンを所定時間の間延長運転する段階を包含したり、前記Ｆ−サイクルと前記Ｒ−サイクルの何れか一方の冷凍サイクルが完了した時、当該冷凍サイクルに属する蒸発器のファンを所定時間延長運転する段階を包含したり、前記Ｆ−サイクルと前記Ｒ−サイクルの何れか一方の冷凍サイクルが完了した時、当該冷凍サイクルに属する蒸発器のファンを所定時間延長運転した後断続的に運転する段階を包含することが好ましい。この時、前記Ｆ−ファン及びＲ−ファンが運転され停止される断続時間比は４：６であることが好ましい。
【００２７】
本発明の他の特徴によれば、Ｆ−サイクルまたはＲ−サイクルを選択的に行う冷凍システムの圧縮機の運転が停止した後にもＦ−ファンとＲ−ファンを各々断続的に運転する段階を包む方法が提供される。
【００２８】
ここで、前記Ｆ−サイクルと前記Ｒ−サイクルの何れか一方の冷凍サイクルが完了した時、停止した更に１つの冷凍サイクルに属する蒸発器のファンを断続的に運転する段階を包含したり、前記Ｆ−サイクルとＲ−サイクルの何れか一方の冷凍サイクルが行われる時、当該冷凍サイクルに属する蒸発器のファンを所定時間の間延長運転する段階を包含したり、前記Ｆ−サイクルと前記Ｒ−サイクルの何れか一方の冷凍サイクルが完了した時、当該冷凍サイクルに属する蒸発器のファンを所定時間延長運転した後、断続的に運転する段階を包含することが好ましい。この時、前記Ｆ−ファン及びＲ−ファンが運転され停止される断続時間比は４：６であることが好ましい。
【００２９】
【発明の実施の形態】
以下、添付図面を参照して本発明を更に詳細に説明する。
実施形態の説明において、各部と同様の構成を有する部分には同一の符号を付しており、これによる付加説明は省略する。
【００３０】
図１を参照すると、本発明が適用される冷却システムは圧縮機１、凝縮器２、バルブ装置３、２つの膨張装置１１、２１及び２つの蒸発器１２、２２を具備している。
【００３１】
凝縮器２の冷媒吐出側に連結された冷媒管は二つに分岐され、その分岐点には制御部（図示せず）からの制御によって各分岐管の冷媒流路を多様な比率で各々開放できるバルブ装置３が取り付けられている。
【００３２】
バルブ装置３を起点に分岐された各分岐管は、第１室１０に配設されたＦ−膨張装置１１と、第２室に配設されたＲ−膨張装置２１に各々連結される。
第１室１０には、Ｆ−蒸発器１２がＦ−膨張装置１１に連結されており、Ｆ−ファン１２ａがＦ−蒸発器１２に向かって取り付けられている。
【００３３】
また、第２室２０には、Ｒ−蒸発器２２がＲ−膨張装置２１に連結されており、Ｒ−ファン２２ａがＲ−蒸発器２２に向かって取り付けられている。
また、第１室１０と第２室２０には、各室の温度を測定するための温度センサー１３、２３が各々設置されており、これらは制御部と電気的に連結され測定された情報を制御部に伝える。
【００３４】
Ｆ−蒸発器１２とＲ−蒸発器２２の各吐出側の冷媒管は圧縮機１に連結されている。
このように構成された冷却システムは、本発明の種々の実施形態による方法により運転が制御され、各実施形態による詳細な説明は次の通りである。
【００３５】
第１実施形態
図２を参照すると、本発明の第１実施形態は、第１室１０と第２室２０について独立に複数の基準温度を設定する段階（Ｓ−００）、第１室１０と第２室２０の温度を測定する段階（Ｓ−１０）、測定された第１室１０と第２室２０の温度を比較する段階（Ｓ−２０）、また、第１室１０と第２室２０の温度比較結果を基準にＦ−蒸発器１２側とＲ−蒸発器２２側に各々流入する冷媒量を調節する段階（Ｓ−３０）を含む。
【００３６】
ここで、段階（Ｓ−１０）は、各温度センサー１３、２３によって行われ、測定された温度は制御部に伝送される。また、段階（Ｓ−２０）は制御部で行われるが、前記基準温度は上限温度と下限温度を含む。この時、前記上限温度と下限温度は第１室１０と第２室２０とで同一に設定することもできるが、一般的に第１室１０は冷凍室に用いられ、第２室２０は冷蔵室に用いられるので、各室の基準温度は互に異なる値を設定するのが好ましい。
【００３７】
また、段階（Ｓ−３０）で、Ｆ−蒸発器１２側とＲ−蒸発器２２側に各々流入する冷媒量の調節は、第１室１０と第２室２０の温度比較結果を基準にして、制御部がバルブ装置３の開放比率を調節することでなされるが、その詳細な開放比率を図３を参照して説明すると次のとおりである。
【００３８】
図３を参照すると、第１室１０と第２室２０の温度が上限温度以上の場合、または、第１室１０と第２室２０の温度が下限温度以上の温度領域で同一の場合には、バルブ装置３の開放比率は第１室側：第２室側が５０％：５０％に設定されており、Ｆ−蒸発器１２側とＲ−蒸発器２２側の両側に同一量の冷媒を流入させることになる。
【００３９】
また、第１室１０と第２室２０の温度が下限温度以上の温度領域に属し、何れか１室の温度が他の室より高い場合、バルブ装置３は相対的に高い温度を有する室の蒸発器側が更に多く開放されるように制御される。
【００４０】
即ち、図３に示すように、第１室が上限温度未満で下限温度以上の温度領域（ｂ１）に属し、第２室２０が上限温度以上の温度領域（ａ２温度領域）に属する場合は、バルブ装置３が第１室１０側より第２室側に多く開くように制御される。また、第１室と第２室が上限温度未満で下限温度以上の温度領域（ｂ１温度領域、ｂ２温度領域）に属する場合、バルブ装置３の温度が相対的に高い側に更に多く開放されるように制御される。
【００４１】
但し、このうち、第１室と第２室が、上限温度以上の温度領域に属する場合、バルブ装置の温度が相対的に高い側に更に多く開放されるように制御されることも良いが、図３に示すように、バルブ装置の開放比率を互いに同一に制御するのが更に好ましい。
【００４２】
また、第１室と第２室の何れか１室の温度だけが下限温度未満の場合、バルブ装置３は高い温度を保持している室の蒸発器側に冷媒の全量を流入させるように制御される。即ち、図３に示すように、第１室の温度が下限温度未満の温度領域であり、第２室の温度が下限値以上の温度領域（ｂ１、ａ１温度領域）に属する場合、バルブ装置３は第２室２０のＲ−蒸発器２２側に冷媒の全量を流入させるように制御する。第１室１０と第２室２０の温度が前記と反対の場合、第１室１０のＦ−蒸発器１２側に冷媒の全量が流入するように、バルブ装置３が制御される。
【００４３】
また、第１室と第２室の温度が、下限温度未満の温度領域（ｃ１、ｃ２温度領域）に属する場合、圧縮機１の運転が停止されて、Ｆ−蒸発器１２側やＲ−蒸発器２２側に全て冷媒を供給しないようになる。
【００４４】
第１実施形態の作用を簡略に整理すると次のとおりである。
冷凍システムの運転が開始されると、圧縮機１が起動し、冷媒は高温高圧の気体状態に圧縮されて凝縮器２へ輸送される。凝縮器２に供給された気相の冷媒は、凝縮器ファン２ａによって送風される空気との熱交換により液化される。液化された冷媒は冷媒管を介してバルブ装置３へ輸送される。
【００４５】
尚、第１室と第２室の温度センサー１３、２３は、各々室の温度を測定して制御部に伝送する。制御部では測定された各室の温度を比較した後、図３を参照して記述した方法に従いバルブ装置の開放比率を制御する。
【００４６】
バルブ装置３の開放を通じて流量が制御された冷媒は、Ｆ−膨張装置１１及びＲ−膨張装置２１で膨張した後、Ｆ−蒸発器１２及びＲ−蒸発器２２で各室の室内機と熱交換される。また、Ｆ−ファン１２ａ及びＲ−ファン２２ａによって各室に冷気が供給され各室が冷却される。
【００４７】
第１室と第２室が下限温度未満になると、圧縮機１の運転が中止され、所定時間経過後、第１室と第２室の何れか１室の温度が下限温度以上に上昇すると、圧縮機１が起動し前記段階を繰り返して、第１室と第２室を常に所定温度範囲内に維持する。
【００４８】
このような本発明の第１実施形態は、各室の温度偏差を減少させ最小化でき、各室の温度をより安定的に維持できる効果がある。
従って、本発明の第１実施形態が適用された冷蔵庫は各室に保管される食品の固有の味を一層長期間維持でき、食品保管の信頼性が更に向上される。
【００４９】
尚、各室の温度によって各蒸発器に供給される冷媒分配量を制御することを核心的な技術思想とする本発明の第１実施形態は次のように変形された実施形態によっても実現できる。
【００５０】
第１実施形態の変形実施形態
図４を参照すると、本発明の第１実施形態の変形実施形態は、第１室１０と、第２室２０とについて独立の複数の温度領域を設定する段階（Ｓ−０５）、第１室１０と、第２室の温度を測定する段階（Ｓ−１０）、測定された第１室と第２室２０の温度を比較する段階（Ｓ−２０）、および、第１室と第２室の温度比較結果を基準に、Ｆ−蒸発器１２側とＲ−蒸発器２２側に各々流入する冷媒量を調節する段階（Ｓ−３０）とを含んでいる。
【００５１】
ここで、段階（Ｓ−１０）は温度センサー１３、２３によって各々行われ、測定された温度は制御部に伝送される。また、段階（Ｓ−２０）は制御部で行われるが、前記温度領域は、上限温度以上の温度領域（Ａｎ温度領域）、上限温度未満で設定値温度以上の温度領域（Ｂｎ温度領域）、設定値温度未満で下限温度以上の温度領域（Ｃｎ温度領域）、下限温度未満の温度領域（Ｄｎ温度領域）を含む。
ここでｎは各室を識別するために付す任意の番号である。
【００５２】
尚、前記各温度領域は第１室と第２室が互いに同一に設定され得るが、一般的に第１室は冷凍室で使用し、第２室は冷蔵室で使用されるので各室の温度領域は互に異なって設定されるのが好ましい。
【００５３】
また、段階（Ｓ−２０）は測定された各室の温度を前記温度領域と比較する方法で行われる。この比較結果に基づき、段階（Ｓ−３０）で、Ｆ−蒸発器１２側とＲ−蒸発器２２側に各々流入する冷媒量を調節する。このような冷媒量の調節は、制御部がバルブ装置３の開放比率を調節することで成されるが、その詳細な開放比率は図５を参照して説明する。
【００５４】
図５を参照すると、第１室と、第２室の温度領域が互いに同一の場合、バルブ装置３は同一比率で開放されるが、この時、バルブ装置３の開放比率は５０％：５０％であることが好ましい。即ち、第１室と第２室が、Ａｎ温度領域に属したり、Ｂｎ温度領域に属したり、或いは、Ｃｎ温度領域に属する場合、バルブ装置３の開放比率は５０％：５０％に同一に開放して、Ｆ−蒸発器１２側とＲ−蒸発器２２側に各々同一量の冷媒が流入するようにする。
尚、図５に示すように、第１室１０と第２室の温度領域がＤｎ温度領域に属する場合は圧縮機１の運転が停止する。
【００５５】
また、第１室１０と第２室２０の何れか１室の温度領域だけがＤｎ温度領域に属する場合、バルブ装置３は、Ｄｎ温度領域の属する室側と、他の温度領域に属する室側との開放比率が０％：１００％になるように制御される。即ち、第１室１０だけがＤ１温度領域に属する場合は、第１室１０のＦ−蒸発器１２側に冷媒の全量を流入させ、第２室２０だけがＤ２温度領域に属する場合、第２室２０のＲ−蒸発器２２側に冷媒の全量を流入させることになる。
【００５６】
また、第１室１０と第２室２０の何れか１室の温度領域がＡｎ温度領域に属し、他の室の温度領域がＣｎ温度領域に属する場合、バルブ装置３は、Ａｎ温度領域に属する室側と、Ｃｎ温度領域に属する室側との開放比率が１００％：０％になるように制御される。即ち、図５に示すように、第１室１０がＡ１温度領域に属し、第２室２０がＣ２温度領域に属する場合、バルブ装置３は、第１室１０のＦ−蒸発器１２側に冷媒の全量が流入するように制御され、反対の場合は第２室２０のＲ−蒸発器２２側に冷媒の全量が流入するようにバルブ装置３が制御される。
【００５７】
また、第１室１０と第２室の何れか１室の温度領域がＢｎ温度領域に属し、他の１室がＡｎ温度領域またはＣｎ温度領域に属する場合、バルブ装置３は相対的に高い温度領域に属する室側が更に多く開放されるように制御される。
【００５８】
この時の好ましい開放比率は８０％：２０％（高い温度の温度領域に属する室側：低い温度の温度領域に属する室側）であるが、場合によって７０％：３０％や、６０％：４０％の開放比率でも制御され得る。
【００５９】
更に詳しくは、図５に示すように、第１室がＢ１温度領域に属し、第２室がＡ２温度領域に属する場合、また第１室１０がＣ１温度領域に属し、第２室２０がＢ２温度領域に属する場合は、第２室２０が第１室より高い温度領域に属するので、バルブ装置３は、第１室１０のＦ−蒸発器１２側より第２室２０のＲ−蒸発器側に更に多くの量の冷媒を流入させるように制御される。勿論、第１室がＡ１温度領域に属し、第２室がＢ２温度領域に属する場合、または、第１室がＢ１温度領域に属し、第２室がＣ２温度領域に属する場合、第１室の温度が第２室の温度より高い温度領域に属するので、バルブ装置３は、第２室のＲ−蒸発器側より第１室のＦ−蒸発器１２側に更に多くの量の冷媒を流入させるように制御される。
【００６０】
前記のような方法で冷媒の流動を制御する本発明の第１実施形態の変形実施形態における作用は、本発明の第１実施形態における作用と同一であり、その効果もまた同一であるので、その説明は省略する。
【００６１】
第２実施形態
本発明の第２実施形態は、凝縮器２を経た冷媒がＦ−膨張装置１１とＦ−蒸発器１２とを順次に流動するＦ−サイクルから、バルブ装置３の制御によって、Ｒ−膨張装置２１とＲ−蒸発器２２とを順次に流動するＲ−サイクルに転換する時、所定時間（Δｔ）の間バルブ装置３を閉鎖した状態で圧縮機１を運転する段階を含んでいる。
【００６２】
ここで所定時間（Δｔ）の間バルブ装置３を閉鎖し圧縮機１を運転する時、Ｆ−ファン１２ａを共に回転させてＦ−蒸発器１２内に残留した冷媒を蒸発させる段階を備えることが好ましい。また、バルブ装置３を閉鎖しながら圧縮機１を運転するときに、凝縮器２を冷却する凝縮器ファン２ａを共に回転させる段階を備えることが更に好ましい。
【００６３】
このような方法で冷凍システムの運転を制御する本発明の第２実施形態を、図１及び図６を参照して説明する。
冷凍システムの運転が開始されると、圧縮機１が起動し、冷媒は高温高圧の気体状態に圧縮されて凝縮器２へ輸送される。凝縮器２に供給された気相の冷媒は凝縮器ファン２ａによって送風される空気との熱交換により液化される。
【００６４】
液化された冷媒は冷媒管を介してバルブ装置３へ向かって流動する。バルブ装置は制御部によって冷媒の流動方向を決定する。この時、バルブ装置の切換によって、冷媒がＦ−膨張装置１１とＦ−蒸発器１２に流入されれば、Ｆ−サイクルが行われる。Ｆ−サイクルが行われる間、冷媒は、Ｆ−膨張装置で膨張された後、Ｆ−蒸発器１２で蒸発しながら熱交換して周囲の熱を吸収する。またＦ−ファン１２ａによって冷気が供給され第１室が冷却される。Ｆ−蒸発器１２を経由した冷媒は更に圧縮機１に流入して上記の各段階を繰り返す。
【００６５】
尚、Ｆ−サイクルが行われる間、図６に示すように、Ｆ−蒸発器１２側にバルブ装置３が開放され、圧縮機１とＦ−ファン１２ａ及び凝縮器ファン２ａが作動する。凝縮器ファン２ａは一般的に凝縮器２と圧縮機１を共に冷却する。
【００６６】
既述したように、Ｆ−サイクルが行われた後に、バルブ装置が所定時間（Δｔ）の間完全に閉鎖された状態で、圧縮機１が動作する。そうすると、バルブ装置３の閉鎖と共に冷媒の流動が停止し、Ｆ−膨張装置１１とＦ−蒸発器１２内に残留する冷媒が圧力差によって圧縮機１と凝縮器２側に全量流入する。この時、図６に示すように、Ｆ−ファン１２ａを共に回転させて、Ｆ−蒸発器１２内に残留する冷媒を蒸発させると共に、持続的に冷気を第１室１０内に供給する。
【００６７】
これによって、Ｆ−サイクルが停止した後にもＦ−蒸発器１２内に残っている冷気を用いて、持続的に第１室１０を冷却可能となるのみならず、気化した冷媒を容易に圧縮機１に回収できる。
【００６８】
所定時間（Δｔ）の間前記方法で運転した後、バルブ装置３をＲ−蒸発器２２側に切り換えてＲ−サイクルを行う。Ｒ−サイクルの実行時の冷媒流動はＦ−サイクル実行時に対応しているので説明を省略する。
但し、Ｒ−サイクルが行われる間、バルブ装置３がＲ−蒸発器２２側に開放され、圧縮機１が作動し、Ｒ−ファン２２ａと凝縮器ファン２ａが回転する。
【００６９】
本発明の第２実施形態では、前記方法でＦ−蒸発器１２内に残留する冷媒を全量回収して圧縮機１と凝縮器２に貯蔵した後、Ｒ−サイクルが行われるので、Ｒ−サイクルが行われる時も冷媒の全量を使用することができ、従来の冷媒不足の発生を完全に防止することができる。
【００７０】
更に、Ｒ−サイクル開始直後に、Ｆ−蒸発器１２から回収した冷媒をＲ−蒸発器２２側により迅速に供給できるので、Ｒ−サイクルがより早期に正常状態に至り、冷凍システムの冷却性能を更に向上させることができる。
【００７１】
尚、Ｒ−サイクルが完了し圧縮機１が停止した後にも、前記と同一の方法で所定時間運転することにより、Ｆ−サイクルが開始される時も同一の作用が得られる。本発明の第２実施形態の変形実施形態によれば、全てのサイクルを実行した後、冷媒回数作業が行われる。その内容を図と図７を参照して説明する。
【００７２】
第２実施形態の変形実施形態
図４を参照すると、本発明の第２実施形態の変形実施形態は、凝縮器２を経た冷媒がＦ−膨張装置１１とＦ−蒸発器１２とを順次に流動するＦ−サイクルと、Ｒ−膨張装置２１とＲ−蒸発器２２とを順次的に流動するＲ−サイクルとの何れか一方のサイクルが完了した時、所定時間（Δｔ）の間、バルブ装置３を閉鎖した状態で圧縮機１を作動させる段階を含んでいる。
【００７３】
ここで、バルブ装置３を閉鎖し圧縮機１を運転する時にＦ−ファン１２ａとＲ−ファン２２ａのうち、対応の何れか一方のファンを共に回転させる段階を含むことが好ましい。また、バルブ装置３を閉鎖し圧縮機１を運転するときに、凝縮器ファン２ａを共に回転させる段階を含むことが好ましい。
【００７４】
このような方法から成される本発明の第２実施形態の変形実施形態の具体的な作用は第２実施形態と同一であるので省略する。但し、本発明の第２実施形態の変形実施形態では、Ｆ−サイクルとＲ−サイクルのうち何れか一方のサイクルが完了した後にも、バルブ装置３が閉鎖され圧縮機１が作動することになる。また、圧縮機１が停止された後に再起動するとき、圧縮機内に液相の冷媒が流入しないので圧縮機の信頼性が確保される。
【００７５】
前記方法から成されている本発明の第２実施形態、および、その変形実施形態には次のような利点がある。
第一に、冷凍システムの何れかの１つのサイクルが完了した後、当該サイクルの蒸発器に残留する冷媒を圧縮機と凝縮器に回収することで、他のサイクルを行う際に冷媒不足が生じない。
【００７６】
第二に、１つのサイクルが完了した後にも当該蒸発器のファンを回転させるので、食品保管室に冷気を持続的に供給でき、熱効率が向上され、冷媒の回収を加速化できる。
【００７７】
第三に、１つのサイクルが完了した後に、蒸発器に冷媒が残留することを防止できるので、圧縮機の再起動時に液相の冷媒が流入せず、液圧縮による圧縮損失を防止できる。従って、圧縮機の信頼性が確保される。
第四に、同一容量の冷凍システムでも相対的に少量の冷媒を用いることができる。
【００７８】
第３実施形態
本発明の第３実施形態は、凝縮器２を経た冷媒がＦ−膨張装置１１とＦ−蒸発器１２とを順次的に流動するＦ−サイクルから、バルブ装置３の制御によって、冷媒がＲ−膨張装置２１とＲ−蒸発器２２とを順次に流動するＲ−サイクルに切り換える時、所定時間（Δｔ）の間、バルブ装置３を閉鎖した状態で圧縮機１を運転する段階と、圧縮機１の運転が停止した後にもＦ−ファン１２ａとＲ−ファン２２ａを各々断続的に運転する段階とを含んでいる。
【００７９】
このような方法で成された本発明の第３実施形態において、蒸発器に残留している冷媒を回収する方法は、第２実施形態と同様であるのでその説明は省略し、圧縮機の停止後、Ｆ−ファン１２ａとＲ−ファン２２ａを断続的に作動させる段階を中心に図１と図８を参照して説明する。
【００８０】
図８は、典型的な形態の２つの蒸発器を備えた冷凍システムによる、ある冷凍サイクルを示しており、該サイクルではＦ−サイクルが完了した後に、連続してＲ−サイクルに運転され、その後一定時間の間、圧縮機１が停止し、冷凍サイクルが行われないようになっている。然しながら、本発明は図８に示す冷凍サイクルに限定されず、図８の冷凍サイクルは単なる一例であることは理解されよう。
【００８１】
先ず圧縮機１が起動しＦ−サイクルが行われる間、Ｆ−ファン１２ａは連続的に回転して、Ｆ−蒸発器１２に流入した冷媒を気化させながら第１室１０を冷却する。
【００８２】
また、Ｒ−サイクルに切り換えてＲ−サイクルが行われる間、Ｒ−ファン２２ａは連続的に回転して、Ｒ−蒸発器２２に流入した冷媒を気化させながら第２室２０を冷却する。
【００８３】
Ｒ−サイクルの実行が完了したとき、圧縮機１が停止する。このように圧縮機が停止したとき、Ｆ−ファン１２ａとＲ−ファン２２ａを一定時間の周期で断続的に回転させて各サイクルが行われない間にも各蒸発器に残っている冷気を各室に吐き出して各室を冷却する。
【００８４】
このような方法で運転することにより、冷凍システムが停止した状態でも各蒸発器に残っている冷気を用いて各室を冷却可能となる。即ち、圧縮機１が停止すると蒸発器１２、２２には冷媒が流入しないが、蒸発器１２、２２の周囲の温度は各室の温度より低いので、各ファンにより冷気を各室に供給して冷却性能を向上し、各室内の温度偏差を低減可能となるので、食品保管の信頼性を向上させることができる。
【００８５】
また、各蒸発器に冷媒が供給されない間にファンを回転させて蒸発器に残留する冷媒を完全に気化させることによって、圧縮機１の再起動時液相の冷媒が圧縮機１に流入することを防止することができる。
【００８６】
尚、第３実施形態ではＦ−サイクルとＲ−サイクルの何れか一方の冷凍サイクルが行われる時、停止された他の１つの冷凍サイクルに属する蒸発器のファンを断続的に運転する段階を更に含むことが好ましい。即ち、図８に示すように、圧縮機１が停止している間だけではなく、Ｆ−サイクルが行われる間にも、Ｒ−ファン２２ａを断続的に回転させるものである。同様に、圧縮機１の停止時だけではなくＲ−サイクルの実行時にも、Ｆ−ファン１２ａを断続的に回転させる。このように運転すると冷却性能が更に向上する。
【００８７】
また、第３実施形態の方法は、好ましくは、Ｆ−サイクルとＲ−サイクルの何れか一方の冷凍サイクルが完了した時、当該冷凍サイクルに属する蒸発器のファンを所定時間の間延長運転する段階を更に含んでいる。即ち、図８に示すように、Ｆ−サイクルが完了した後、所定時間（ｔ１）の間Ｆ−ファン１２ａを延長して運転しながら冷気を第１室１０に吐き出し、Ｒ−サイクルが完了した後、所定時間（ｔ２）の間、Ｒ−ファン２２ａを運転しながら冷気を第１室１０に吐き出すものである。これは各サイクルが行われた直後にはサイクルが行われる時と殆ど同一水準の冷気が当該蒸発器の周囲にあるので該冷気を各室に吐き出して冷却性能を向上させるためである。
【００８８】
また、本発明の第３実施形態ではＦ−サイクルとＲ−サイクルの何れか一方の冷凍サイクルが行われ、完了した時、当該冷凍サイクルに属する蒸発器のファンを所定時間の間延長運転した後断続的に運転する段階を含むことが好ましい。即ち、図８に示すように、Ｆ−サイクルが完了した後にはＦ−ファン１２ａが所定時間延長運行された後断続運転されＲ−サイクルが完了した後にはＲ−ファン２２ａが所定時間（ｔ２）延長運行された後断続運転されるものである。
【００８９】
既述したように、断続運転されるＦ−ファン１２ａ及びＲ−ファン２２ａの断続時間比、即ち、運転される時間と停止される時間の比率は４：６であることが好ましい。即ち、１０分を１周期に断続運転する時、各ファンは４分の間回転し、６分の間停止させることが好ましい。然しながら、かかる比率は冷凍システムの容量や、製品の設計目的によって変更できる。尚、既述したようにＦ−ファン１２ａとＲ−ファン２２ａが断続的に運転される理由は、各ファンを回転させるモータの寿命及び使用電力を考慮したためである。
【００９０】
尚、本発明の第３実施形態において、圧縮機の停止時に各ファンを断続的に運転する方法は、第２実施形態において開示されている運転制御方法と独立的に構成されて冷凍システムに適用され得る。
本発明による第４実施形態を図１及び図９を参照して説明する。
【００９１】
第４実施形態
図９を参照すると、本発明の第４実施形態は、Ｆ−サイクルまたはＲ−サイクルを選択的に行う冷凍システムの圧縮機１の運転が停止した後にも、Ｆ−ファン１２ａとＲ−ファン２２ａを各々断続的に運転する段階を含んでいる。
【００９２】
また、本発明の第４実施形態は、Ｆ−サイクルまたはＲ−サイクルの何れか一方の冷凍サイクルが行われる時、停止している他の１つの冷凍サイクルに属する蒸発器のファンを断続的に運転する段階を更に含むことが好ましい。
【００９３】
また、本発明の第４実施形態は、Ｆ−サイクルとＲ−サイクルの何れか一方の冷凍サイクルが行われ完了した時、当該冷凍サイクルに属する蒸発器のファンを所定時間（ｔ３、ｔ４）の間、延長運転する段階を更に含むことが好ましい。
【００９４】
また、本発明の第４実施形態は、Ｆ−サイクルとＲ−サイクルの何れか一方の冷凍サイクルが行われ完了した時、当該冷凍サイクルに属する蒸発器のファンを所定時間の間、延長運転した後、断続的に運転する段階を含むことが好ましい。この時、Ｆ−ファン及びＲ−ファンが運転、停止される断続時間比は４：６であることが好ましい。
【００９５】
前記方法でなされている本発明の第４実施形態の更に詳しい内容は、既に第３実施形態で開示されているのでその説明は省略する。
図９に示すように、第４実施形態はサイクル運行の先後と無関係に、Ｒ−サイクルとＦ−サイクルを選択的に運転する全ての冷凍システムに適用できる。
【００９６】
本発明の第４実施形態による冷却システムの運転制御方法は次のような利点がある。
第一に、圧縮機を停止した後にも、各ファンを断続的に回転させることによって各蒸発器に残っている冷気を各室に供給するので、各室の内部温度偏差を低減可能で、食品保管の信頼性が向上される。
【００９７】
第二に、各蒸発器に残っている冷気を全て利用可能であるので、冷却効率が向上し、各室の温度上昇速度を低減可能である。従って、実質的に圧縮機の運転時間が短縮される。
【００９８】
第三に、冷媒の流動を停止した後にも、各蒸発器内に残留している冷媒を各ファンが気化させるので、圧縮機を再起動させるとき液相の冷媒が圧縮機に流入することが防止され、これによって圧縮機の信頼性が向上される。
【００９９】
以上、本発明の好適な一実施形態を説明したが、本発明は既述の実施形態に限定されるわけではなく、本発明の技術思想に基づいて種々の変形または変更が可能である。
【０１００】
【発明の効果】
以上説明したように、本発明の２つの蒸発器を備えた冷凍システムの運転制御方法によれば以下のような効果を奏する。
第一に、各室の温度偏差を減少させ最小化でき、各室の温度をより安定的に維持できる。従って、食品保管の信頼性が一層向上する。
【０１０１】
第二に、冷凍システムの何れか一方のサイクルが完了した後、他のサイクルを行うとき冷媒不足現象が発生しない。
第三に、冷凍サイクルの熱効率が向上され、実質的に圧縮機の運転時間が短縮される。
【０１０２】
第四に、蒸発器に冷媒が残留することを防止できるので圧縮機の再起動時、液相冷媒が流入されず液圧縮による圧損が防止できる。
第五に、同一容量の冷凍システムでも相対的に小さい量の冷媒を用いることができる。
【図面の簡単な説明】
【図１】２つの蒸発器を備えた冷凍システムの概略的な構成図である。
【図２】本発明の第１実施形態による冷凍システムの運転制御方法を示すフローチャートである。
【図３】本発明の第１実施形態による冷凍システムの運転制御方法で各室の温度別バルブ装置の開放比率を示す表である。
【図４】本発明の第１実施形態の変形例による冷凍システムの運転制御方法を示すフローチャートである。
【図５】本発明の第１実施形態の変形実施形態による冷凍システムの運転制御方法において各室の温度領域別バルブ装置の開放比率を示す表である。
【図６】本発明の第２実施形態による冷凍システムの運転制御方法を示す線図である。
【図７】本発明の第２実施形態の変形例による冷凍システムの運転制御方法を示す線図である。
【図８】本発明の第３実施形態による冷凍システムの運転制御方法を示す線図である。
【図９】本発明の第４実施形態による冷凍システムの運転制御方法を示す線図である。
【符号の説明】
１…圧縮機
２…凝縮器
３…バルブ装置
１０…第１室
１１…Ｆ−膨張装置
１２…Ｆ−蒸発器
１３…温度センサー
２０…第２室
２１…Ｒ−膨張装置
２２…Ｒ−蒸発器
２３…温度センサー
【図１】
2004037065.tif 000003
【図２】
2004037065.tif 000004
【図３】
2004037065.tif 000005
【図４】
2004037065.tif 000006
【図５】
2004037065.tif 000007
【図６】
2004037065.tif 000008
【図７】
2004037065.tif 000009
【図８】
2004037065.tif 000010
【図９】
2004037065.tif 000011